(57)【要約】【課題】連動型データ放送番組のうちのデータ放送番組の画面を閉じて、テレビ番組を全画面表示させた後、再度データ放送番組の画面を表示させる場合に、初期画面に戻ることなく、閉じた時の画面のまま再表示させることが可能であり、かつ、テレビ番組の全画面表示からデータ放送番組の表示への画面切り替え時間を短縮することが可能なデジタル放送受信装置を提供する。【解決手段】データ放送番組を受信して表示している状態でｄボタンが押下された場合、テレビ番組を全画面表示に切替えるとともに、データ放送の受信はそのまま継続し、かつデータ放送に関する操作をマスクする制御を行ない、データ放送番組を受信しているが表示していない状態でｄボタンが押下された場合、データ放送に関する操作のマスクを解除してデータ放送番組の画面に切替える制御を行なう。【選択図】図１
2008236314.tif 000002
【特許請求の範囲】
【請求項１】
テレビ番組とデータ放送番組とが連動して放送される連動型データ放送番組を受信する機能を有するデジタル放送受信装置において、
前記連動型データ放送番組を受信して、前記テレビ番組と前記データ放送番組とに分離して出力する受信手段と、
外部から入力される操作情報のうち、前記データ放送番組に対する操作情報であるデータ放送操作情報を抽出し、この抽出したデータ放送操作情報を第１のスイッチを介して出力するデータ放送操作情報抽出手段と、
前記第１のスイッチを介して入力される前記データ放送操作情報と、前記受信手段から出力される前記データ放送番組に含まれるコンポーネントデータとを基に、データ放送番組表示用映像信号と前記テレビ番組の映像の表示位置及び表示サイズを制御するための情報であるスケーリング情報とを生成し、生成した前記データ放送番組表示用映像信号を第２のスイッチを介して出力するとともに、生成した前記スケーリング情報を第３のスイッチを介して出力するデータ放送番組再生手段と、
前記受信手段から出力される前記テレビ番組に含まれる映像信号を、前記第３のスイッチを介して入力される前記スケーリング情報を基にスケーリングしてテレビ番組表示用映像信号を生成し、この生成したテレビ番組表示用映像信号を出力する映像スケーリング手段と、
前記テレビ番組表示用映像信号に前記第２のスイッチを介して入力されるデータ放送番組表示用映像信号を重畳して合成映像信号を生成し、この生成した合成映像信号を出力する映像合成手段と、
前記映像合成手段から前記テレビ番組表示用映像信号に前記データ放送番組表示用映像信号が重畳された合成映像信号が出力されているときに、前記データ放送用操作情報のうちのデータ放送番組の起動及び停止を操作するための起動停止操作情報が入力された場合は、前記第１〜第３のスイッチをＯＦＦするように制御し、前記データ放送番組再生手段から前記データ放送番組表示用映像信号が出力されているが前記映像合成手段からは前記テレビ番組表示用映像信号のみが出力されているときに、前記起動停止操作情報が入力された場合は、前記第１〜第３のスイッチをＯＮするように制御する制御手段と、
を有することを特徴とするデジタル放送受信装置。
【発明の詳細な説明】
【技術分野】
【０００１】
本発明は、データ放送受信機能を有するデジタル放送受信装置に関するものである。
【背景技術】
【０００２】
ＢＳ／ＣＳデジタル放送や地上波デジタル放送などの各種デジタル放送では、映像音声信号による通常のテレビ番組の放送のほかに、映像音声データ、静止画データ、テキストデータ、及び、これら各データの時間的、空間的配置を制御する制御データ（例えばＢＭＬ文書等）等からなるコンポーネントデータで構成されるデータ放送番組も放送されている。データ放送番組には、映像音声信号による通常のテレビ番組にデータ放送番組も付随させて1つの番組として放送される連動型データ放送番組と、テレビ番組に付随せずにコンポーネントデータのみで放送される独立型データ放送番組とがある。
【０００３】
これらのデータ放送番組では、上記した制御データを用いることで、ユーザに対してインタラクティブなサービスを提供する事ができる。ユーザは、提示される画面の内容を基に、リモコンなどの操作よって、画面を遷移させて所望する情報を参照することが可能となる。
【０００４】
しかし、データ放送番組は、ユーザが所望の情報を参照するまでに多くのキー操作が必要であったり、表示画面の切り替わりに時間がかかったりなどの課題が残されている。
そこで、例えば特許文献１では、ユーザが頻繁に利用する情報を容易に参照できるようキー操作の改善を図ったデジタル放送受信機が提案されている。
【特許文献１】特開２００６−１８０１３２号公報
【発明の開示】
【発明が解決しようとする課題】
【０００５】
しかしながら、特許文献１の従来例では、キー操作の改善はなされるものの、表示画面の切り替わりに時間がかかる課題の改善はなされていない。
また、データ放送番組は、上記した自らの番組の制御データによって、番組内における表示画像の制御を行なう。例えば、連動型データ放送番組の場合、テレビ番組を表示中に、リモコンの「ｄ」ボタンが押されたらデータ放送番組を起動してこのデータ放送番組の表示を開始し、再度「ｄ」ボタンが押されたらデータ放送番組を終了してこのデータ放送番組の表示を停止するような制御が行なわれるのが一般的である。このとき、多くの連動型データ放送番組では、データ放送番組を終了した時の状態を保持する制御を行なうような制御データを持たない場合が多い。
【０００６】
従って、データ放送番組の画面が所定の画面に遷移した後に、「ｄ」ボタンが押された場合、データ放送番組を終了してしまうので、再度「ｄ」ボタンが押されてもデータ放送番組の表示画面は遷移した画面ではなく、データ放送番組起動時の初期画面が表示されてしまうという課題がある。
【０００７】
図２は、この課題を説明する画面遷移の図である。連動型データ放送番組のうちのテレビ番組の画面（ａ）を表示中に、「ｄ」ボタンが押されるとデータ放送番組を起動し初期画面（ｂ）を表示する。そしてユーザによってこの初期画面中のニュースの枠が選択されると、ニュースの画面（ｃ）が表示される。なお、この例では、基のテレビ画面が右上に縮小表示されている。この状態から、ユーザが一時的にテレビ画面を全画面で観たいと考え、「ｄ」ボタンを押してデータ放送画面を閉じてしまうと、ユーザがもう一度データ放送番組のニュースを観たいと思って再度「ｄ」ボタンを押しても、表示される画面はデータ放送番組の初期画面（ｅ）に戻ってしまう。
【０００８】
本発明は、上記したような課題を解決するデジタル放送受信機を提供することを目的とする。
【課題を解決するための手段】
【０００９】
そこで上記課題を解決するために本発明は、下記の装置を提供するものである。
（１）テレビ番組とデータ放送番組とが連動して放送される連動型データ放送番組を受信する機能を有するデジタル放送受信装置において、
前記連動型データ放送番組を受信して、前記テレビ番組と前記データ放送番組とに分離して出力する受信手段（２，３）と、
外部から入力される操作情報のうち、前記データ放送番組に対する操作情報であるデータ放送操作情報を抽出し、この抽出したデータ放送操作情報を第１のスイッチ（１７）を介して出力するデータ放送操作情報抽出手段（４，５，６）と、
前記第１のスイッチを介して入力される前記データ放送操作情報と、前記受信手段から出力される前記データ放送番組に含まれるコンポーネントデータとを基に、データ放送番組表示用映像信号と前記テレビ番組の映像の表示位置及び表示サイズを制御するための情報であるスケーリング情報とを生成し、生成した前記データ放送番組表示用映像信号を第２のスイッチ（１８）を介して出力するとともに、生成した前記スケーリング情報を第３のスイッチ（１９）を介して出力するデータ放送番組再生手段（８，９）と、
前記受信手段から出力される前記テレビ番組に含まれる映像信号を、前記第３のスイッチを介して入力される前記スケーリング情報を基にスケーリングしてテレビ番組表示用映像信号を生成し、この生成したテレビ番組表示用映像信号を出力する映像スケーリング手段（１１）と、
前記テレビ番組表示用映像信号に前記第２のスイッチを介して入力されるデータ放送番組表示用映像信号を重畳して合成映像信号を生成し、この生成した合成映像信号を出力する映像合成手段（１２）と、
前記映像合成手段から前記テレビ番組表示用映像信号に前記データ放送番組表示用映像信号が重畳された合成映像信号が出力されているときに、前記データ放送用操作情報のうちのデータ放送番組の起動及び停止を操作するための起動停止操作情報が入力された場合は、前記第１〜第３のスイッチをＯＦＦするように制御し、前記データ放送番組再生手段から前記データ放送番組表示用映像信号が出力されているが前記映像合成手段からは前記テレビ番組表示用映像信号のみが出力されているときに、前記起動停止操作情報が入力された場合は、前記第１〜第３のスイッチをＯＮするように制御する制御手段（５）と、
を有することを特徴とするデジタル放送受信装置。
【発明の効果】
【００１０】
本発明によれば、連動型データ放送番組のうちのデータ放送番組の画面を閉じて、テレビ番組を全画面表示させた後、再度データ放送番組の画面を表示させる場合に、初期画面に戻ることなく、閉じた時の画面のまま再表示させることが可能となる。
【００１１】
また、連動型データ放送番組のうちのテレビ番組の全画面表示からデータ放送番組の表示への画面切り替え時間を短縮することができる。
【発明を実施するための最良の形態】
【００１２】
以下に本発明のデジタル放送受信装置の一実施例について説明する。
＜全体構成＞
図１は本実施例のデジタル放送受信装置のブロック図である。
【００１３】
操作入力部４は、ユーザの操作を受け付けて、この操作に応じた操作情報を生成し、システム制御部５へ供給する。
システム制御部５は、操作入力部４から供給される操作情報を受けて、装置全体の統括制御を行う。なお、図面を簡略化するため、個々のブロックへ供給する制御信号のラインは省略している。
【００１４】
また、システム制御部５は、第１のマスクスイッチ１７、第２のマスクスイッチ１８、第３のマスクスイッチ１９に対するスイッチＯＮ／ＯＦＦをデータ放送番組の受信及び表示の状況に応じて制御する。このＯＮ／ＯＦＦ制御の詳細は後述する。
【００１５】
更に、システム制御部５は、供給される操作情報をデータ放送操作取得部６へも供給する。
データ放送操作取得部６は、供給される操作情報のうちデータ放送用の操作情報のみを抽出し、第１のマスクスイッチ１７を介してデータ放送エンジン部８へ供給する。
【００１６】
チューナ部２は、デジタル放送用アンテナ１から入来するデジタル放送波のうち、選局対象のチャンネルを含むデジタル放送波へのチューニングと復調を行って、テレビ番組用の符号化映像信号や符号化音声信号と、データ放送用や番組情報提供用の各種データとが多重されているトランスポートストリームを生成し、多重分離部３へ供給する。
【００１７】
多重分離部３は、トランスポートストリームから、符号化映像信号、符号化音声信号、各種データを分離して、映像デコード部１０、音声デコード部１３、データ放送データ取得部７にそれぞれ供給する。
【００１８】
データ放送データ取得部７は、供給される各種データから、データ放送で用いるコンポーネントデータを抽出して、データ放送エンジン部８へ供給する。
データ放送エンジン部８は、データ放送データ取得部７から供給されるコンポーネントデータと、データ放送操作取得部６から第１のマスクスイッチ１７を介して供給されるデータ放送用の操作情報を基に、データ放送番組の動作内容を解析して、テレビ番組の映像の表示位置情報及びサイズ情報を生成し、第３のマスクスイッチ１９を介して映像スケーラ部１１に供給するとともに、データ放送画面生成部９に対して、データ放送番組の表示に用いられる文字データや図形データなどを供給する。
【００１９】
データ放送画面生成部９は、供給される文字データや図形データなどを基に、データ放送番組表示用映像信号を生成し、第２のマスクスイッチ１８を介して映像合成部１２へ供給する。
【００２０】
映像デコード部１０は、供給される符号化映像信号をデコードしてテレビ番組表示用映像信号を生成し、映像スケーラ部１１へ供給する。
映像スケーラ部１１は、データ放送エンジン部８から第３のマスクスイッチ１９を介して供給される、またはシステム制御部５から供給される表示位置情報及びサイズ情報に基づいて、映像デコード部１０から供給されるテレビ番組表示用映像信号の表示位置及びサイズを調整し、映像合成部１２へ供給する。
【００２１】
映像合成部１２は、映像スケーラ部１１から供給されるテレビ番組表示用映像信号と、データ放送画面生成部９から第２のマスクスイッチ１８を介して供給されるデータ放送番組表示用映像信号とを合成して合成映像信号を生成し表示部１５へ出力する。
【００２２】
音声デコード部１３は、供給される符号化音声信号をデコードして出力用音声信号を生成し、音声信号処理部１４へ供給する。
音声信号処理部１４は、供給される出力用音声信号に対してレベル調整などの処理を施した後にスピーカ１６へ出力する。
＜動作フロー＞
次に、本実施例の動作の詳細を図１のブロック図、及び図３のフローチャートを用いて説明する。なお、フローチャートでの動作を行なう主体は、特に記述が無い限りはシステム制御部５である。
【００２３】
また、この処理動作に入る前に、データ放送番組は既に受信されており、データ放送番組表示用映像信号が映像合成部１２へ供給されていることを前提とする。
ステップＳ１：ユーザの操作によって操作入力部４より入力される操作情報が「ｄボタンの押下」であるか否かを検出する。検出結果が「ｄボタンの押下」でない場合は、再度操作情報の検出処理に戻る。検出結果が「ｄボタンの押下」であった場合は、ステップＳ２に処理を移行する。
【００２４】
ステップＳ２：現在、データ放送番組表示用映像信号が、映像合成部１２へ供給されているか否かを確認する。映像合成部１２へ供給されている場合は処理をステップＳ３へ処理を移行する。映像合成部１２へ供給されていなかった場合は処理をステップＳ７へ処理を移行する。
【００２５】
ステップＳ３：第１のマスクスイッチ１７をＯＦＦ（マスク）し、データ放送用の操作情報をデータエンジン部８へ供給しないようにする。
ステップＳ４：第２のマスクスイッチ１８をＯＦＦ（マスク）し、データ放送番組表示用映像信号を映像合成部１２へ供給しないようにする。
【００２６】
ステップＳ５：第３のマスクスイッチ１９をＯＦＦ（マスク）し、データ放送エンジン部８から供給されるデータ放送番組表示の際のテレビ番組の映像の表示位置情報及びサイズ情報を映像スケーラ部１１へ供給しないようにする。
【００２７】
ステップＳ６：テレビ番組表示用映像信号による画面表示が全画面になるように、映像スケーラ部１１に表示位置情報及びサイズ情報を供給する。
なお、上記ステップＳ３からステップＳ６までの処理は、かならずしもこの順番で行う必要は無く、どのような順番でも良い。
【００２８】
以上のステップＳ３からステップＳ６までの処理が終わったら再度ステップＳ１へ戻り、次の操作情報が入力されるのを待つ。
ステップＳ７：第１のマスクスイッチ１７をＯＮ（マスク解除）し、データ放送用の操作情報のデータエンジン部８への供給を再開する。
【００２９】
ステップＳ８：第２のマスクスイッチ１８をＯＮ（マスク解除）し、データ放送番組表示用映像信号の映像合成部１２への供給を再開する。
ステップＳ９：第３のマスクスイッチ１９をＯＮ（マスク解除）し、データ放送エンジン部８からのデータ放送番組表示の際のテレビ番組の映像の表示位置情報及びサイズ情報の映像スケーラ部１１への供給を再開する。
【００３０】
ステップＳ１０：テレビ番組表示用映像信号による画面表示が全画面になるような表示位置情報及びサイズ情報の映像輔スケーラ部１１への供給を停止する。
なお、上記ステップＳ７からステップＳ１０までの処理も、かならずしもこの順番で行う必要は無く、どのような順番でも良い。
【００３１】
以上のステップＳ７からステップＳ１０までの処理が終わったら再度ステップＳ１へ戻り、次の操作情報が入力されるのを待つ。
従来は、データ放送番組を受信して表示された後、「ｄボタンの押下」がなされたらデータ放送番組の受信自体を停止してしまっていた。そして、次の「ｄボタンの押下」で、前回の「ｄボタンの押下」によって停止されたデータ放送番組の受信を、再度はじめから開始しなおさなければならず、その表示までに時間を要していた上に、表示画面も初期画面に戻ってしまっていた。
【００３２】
上記した本実施例によれば、データ放送番組の受信を停止せず、全ての動作をマスクした状態で保持するようにしたことにより、テレビ番組の全画面表示からデータ放送番組表示へすばやく切替えることが可能になるとともに、再表示されるデータ放送番組の表示画面を、初期画面ではなく前回表示されていた画面とすることが可能となる。
【００３３】
本実施例によるデータ放送画面の遷移例を図４に示す。（ａ）から（ｄ）までの遷移は図２の従来例と同様であるが、（ｅ）での表示画面が、図２（ｅ）にように初期画面ではなく、テレビ番組全表示画面（ｄ）の前に表示していたデータ放送番組の表示画面（ｃ）と同じ表示画面（ｅ）となっていることが判る。
【００３４】
なお、本実施例では、データ放送番組表示とテレビ番組表示との切り替えのユーザ操作として「ｄボタン押下」で説明しているが、これに限定するものではなく、データ放送番組の制御データが他のボタンや操作に割り当てられている場合は、「ｄボタンの押下」がその他のボタンや操作に置き換わることはもちろんである。
【００３５】
また、本発明は上記した装置の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【図面の簡単な説明】
【００３６】
【図１】本発明のデジタル放送受信装置の一実施例のブロック図である。
【図２】従来のデータ放送番組の画面遷移の例を示した図である。
【図３】一実施例の動作の流れを示すフローチャートである。
【図４】一実施例のデータ放送番組の画面遷移の例を示した図である。
【符号の説明】
【００３７】
１  デジタル放送用アンテナ
２  チューナ部
３  多重分離部
４  操作入力部
５  システム制御部
６  データ放送操作取得部
７  データ放送データ取得部
８  データ放送エンジン部
９  データ放送画面生成部
１０  映像デコード部
１１  映像スケーラ部
１２  映像合成部
１３  音声デコード部
１４  音声信号処理部
１５  表示装置
１６  スピーカ
１７  第１のマスクスイッチ
１８  第２のマスクスイッチ
１９  第３のマスクスイッチ
【図１】
2008236314.tif 000003
【図２】
2008236314.tif 000004
【図３】
2008236314.tif 000005
【図４】
2008236314.tif 000006